(57)【要約】【課題】本発明は、湾曲した狭い部分にたとえば、ハーネスのような被固定物を抱持することが容易にできる固定具に関するものである。【解決手段】本発明の固定具は、一対のほぼ長方形からなる樹脂製部材の間に被固定物を挟持して取付部材に固定するものである。また、前記固定具は、被固定物に沿った湾曲部を備えた湾曲板と、同じく被固定物に沿った反対側にある平板とから少なくとも構成されている。前記湾曲板は、一端に前記平板と係合する係合手段が設けられている。前記平板は、一端に前記係合手段と係合する係合部を設け、長さ方向に対して直角に折り曲げることが可能な第１ヒンジおよび前記湾曲板に連結する第２ヒンジを備えている。前記湾曲板は、前記平板とともに被固定物を抱持するとともに、前記係合部および係合手段により、互いに係合されて固定する。前記平板は、第１ヒンジおよび第２ヒンジが設けられているため、前記湾曲板とともに、最小限の収納スペースとすることができる。【選択図】図１
2011202763.tif 000002
【特許請求の範囲】
【請求項１】
一対の樹脂製部材の間に被固定物を挟持して固定する固定具において、
一端に係合手段を設け、前記被固定物に沿った湾曲部を備えた湾曲板と、
一端に前記係合手段に係合する係合部と、前記係合部を折り曲げることができる第１ヒンジと、前記湾曲板に連結するとともに、長さ方向に対して折り曲げることが可能な第２ヒンジとを備えた平板と、
から少なくとも構成されていることを特徴とする固定具。
【請求項２】
前記湾曲板および第１ヒンジの端部に向かう近傍は、互いに固定する際に、水平な面となるように形成されていることを特徴とする請求項１に記載された固定具。
【請求項３】
前記平板と湾曲板との取り付けは、
前記平板の端部近傍に突設された係止部を有する軸部と、
前記平板と湾曲板とを係止する際に、前記平板の軸部と前記湾曲板の対応する位置に設けられた前記軸部挿入孔と、
前記軸部挿入孔の周縁に突出して、前記軸部の係止部と係止する脚部と、
から少なくとも構成されていることを特徴とする請求項１または請求項２に記載された固定具。
【請求項４】
前記平板および湾曲板に挟持されている被固定物の反対側で、互いに異なる位置に突設けられた当接部を備えていることを特徴とする請求項１から請求項３のいずれか１項に記載された固定具。
【発明の詳細な説明】
【技術分野】
【０００１】
本発明は、湾曲した狭い部分に被固定物を固定する固定具に関するものである。本発明は、前記被固定物、たとえば、ハーネスのようなものの周囲に沿って抱持することが容易にできる固定具に関するものである。
【背景技術】
【０００２】
特開２００１−２４１４０８号公報におけるフラットハーネス用クランプ６１は、上板６１２と下板６１１の間にフラットハーネス６２を挟持し、一方に設けられた軸部６１３を他方の係止部６１４に嵌合させるとともに、前記係止部６１４を被取付部材６３の孔６３１に嵌合させる。
【先行技術文献】
【特許文献】
【０００３】
【特許文献１】特開２００１−２４１４０８号公報
【発明の概要】
【発明が解決しようとする課題】
【０００４】
前記従来例として挙げたフラットハーネス用クランプ６１は、上下方向が平坦なフラットハーネス６２のような被固定物を想定したものであり、一方が平坦で、他方が湾曲したものに適さないという問題があった。特に、前記フラットハーネス用クランプ６１は、上下方向が平坦であるため、管状物体、あるいは湾曲部を有する物体を取り付けることができない。前記フラットハーネス用クランプ６１は、形状が湾曲した被取付部材に最小限のスペースで取り付けることができない。
【０００５】
以上のような課題を解決するために、本発明は、限られた形状をした部位で、しかも、最小限の収納スペースとすることができる固定具を提供することを目的とする。また、本発明は、一方が湾曲した形状の部分であっても、決められた位置に固定できる固定具を提供することを目的とする。
【課題を解決するための手段】
【０００６】
（第１発明）
第１発明の固定具は、一対の樹脂製部材の間に被固定物を挟持して固定するものであり、一端に係合手段を設け、前記被固定物に沿った湾曲部を備えた湾曲板と、一端に前記係合手段に係合する係合部と、前記係合部を折り曲げることができる第１ヒンジと、前記湾曲板に連結するとともに、長さ方向に対して折り曲げることが可能な第２ヒンジとを備えた平板とから少なくとも構成されていることを特徴とする。
【０００７】
（第２発明）
第２発明の固定具において、前記湾曲板および第１ヒンジの端部に向かう近傍は、互いに固定する際に、水平な面となるように形成されていることを特徴とする。
【０００８】
（第３発明）
第３発明の固定具において、前記平板と湾曲板との取り付けは、前記平板の端部近傍に突設された係止部を有する軸部と、前記平板と湾曲板とを係止する際に、前記平板の軸部と前記湾曲板の対応する位置に設けられた前記軸部挿入孔と、前記軸部挿入孔の周縁に突出して、前記軸部の係止部と係止する脚部とから少なくとも構成されていることを特徴とする。
【０００９】
（第４発明）
第４発明の固定具において、前記平板および湾曲板に挟持されている被固定物の反対側で、互いに異なる位置に突設けられた当接部を備えていることを特徴とする。
【発明の効果】
【００１０】
本発明によれば、湾曲板と第１ヒンジおよび第２ヒンジを有する平板とによって、被固定物を抱持しているため、決められた位置に、最小限の収納スペースで収納することができる。
【００１１】
本発明によれば、取付部材が湾曲した形状であっても、固定具の一方を前記取付部材の形状に合わせた湾曲板とすることで、狭いスペースにフィットして取り付けることができる。
【００１２】
本発明によれば、固定具の抱持面と反対側に互い違いに突出した当接部を設けることにより、前記固定具の取り付け後の位置決め固定ができる。
【図面の簡単な説明】
【００１３】
【図１】本発明の実施例であり、固定具の斜視図である。（実施例１）
【図２】本発明の固定具の側面図である。
【図３】本発明の固定具の平面図である。
【図４】本発明の固定具の挟持状態を説明するための図である。
【図５】本発明の固定具を取付部材に取り付けた状態を説明するための図である。
【図６】従来例の固定具を説明するための図である。
【発明を実施するための形態】
【００１４】
（第１発明）
第１発明の固定具は、たとえば、一対のほぼ長方形からなる樹脂製部材の間に被固定物を挟持して取付部材に固定するものである。また、前記固定具は、被固定物に沿った湾曲部を備えた湾曲板と、同じく被固定物に沿った反対側に設けらた平板とから少なくとも構成されている。前記湾曲板は、一端に前記平板と係合する係合手段が設けられている。前記平板は、一端に前記係合手段と係合する係合部を設け、前記係合手段に対して折り曲げることが可能な第１ヒンジおよび前記湾曲板に連結し、二つ折りに折り曲げられる第２ヒンジを備えている。前記湾曲板は、前記平板とともに被固定物を抱持し、前記係合部および係合手段により、互いに係合されて固定する。前記平板は、第１ヒンジおよび第２ヒンジが設けられているため、前記湾曲板とともに、被固定物を固定するための最小限の収納スペースとすることができる。
【００１５】
（第２発明）
第２発明の固定具は、前記湾曲板の端部、および第１ヒンジの端部近傍が互いに固定する際に、重なる面が水平となるように形成される。前記平板は、第１ヒンジにより角度が変えられる（水平にできる）。しかし、前記湾曲板は、被固定物を抱持する部分が湾曲になっているため、取り付ける際に、隙間を無くすように、互いに水平となるような形状になっている。
【００１６】
（第３発明）
第３発明の固定具は、前記平板と湾曲板とを取り付ける機構にかかるものである。前記平板は、端部近傍に突設された係止部を有する軸部が設けられている。前記湾曲板は、前記平板の軸部を挿入する軸部挿入孔が設けられている。前記軸部と軸部挿入孔の位置は、互いに対応して挿入できるようになっている。また、前記軸部挿入孔の周縁は、突出した脚部が設けられ、前記軸部の係止部と係止する。
【００１７】
（第４発明）
第４発明の固定具は、取付部材の間に挟持されるとともに、係合手段が孔に係合されて固定される。前記固定具の平板および湾曲板は、被固定物が挟持されている側と反対側で、互いに異なる位置に突出された当接部が備えられている。
【実施例１】
【００１８】
図１は、本発明の実施例であり、固定具の斜視図である。図２は本発明の固定具の側面図である。図３は本発明の固定具の平面図である。図１から図３において、本発明の固定具１１は、一対のほぼ長方形からなる樹脂製部材の間に被固定物（図５に示す符号５１）を挟持して取付部材（図５に示す符号５２、５３）に固定するものである。前記固定具１１は、金型（図示されていない）等により樹脂を成形して作製するものである。
【００１９】
前記固定具１１は、被固定物に沿った湾曲部を備えた湾曲板１２と、同じく被固定物に沿った反対側にある平板１３とが第２ヒンジ１３５によって連結されている。前記湾曲板１２は、一端に前記平板１３と係合する係合手段１２２が設けられている。前記平板１３は、一端に前記係合手段１２２と係合する係合部１３２を設け、長さ方向に対して折り曲げることが可能な第１ヒンジ１３４および前記湾曲板１２に連結する第２ヒンジ１３５を備えている。前記湾曲板１２は、前記平板１３とともに被固定物を抱持するとともに、前記係合部１３２と係合手段１２２の係合により、互いに係合されて固定する。
【００２０】
前記係合部１３２は、第１ヒンジ１３４を介して可動自在に設けられた第２水平部１３３に突出して成形された係合軸１３１の先端部に設けられている。前記係合軸１３１および係合部１３２は、従来の固定手段に用いられるものと同じである。また、前記係合手段１２２は、内部に前記係合軸１３１および係合部１３２を挿入する係合孔１２１を有し、前記係合軸１３１等が挿入される際に広がるような構成になっており、前記係合部１３２の突出部に係合することにより固定される。前記係合手段１２２と係合部１３２の形状は、従来の固定手段と同様な構成になっている。
【００２１】
前記平板１３は、第１ヒンジ１３４および第２ヒンジ１３５が折り曲げ自在になるよう成形されているため、前記湾曲板１２とともに、被固定物を抱持する最小限の収納スペースとすることができる。
【００２２】
図４は本発明の固定具の挟持状態を説明するための図である。図４において、固定具１１は、図５に示されている被固定物５１を抱持し、係合手段１２２に係合軸１３１および係合部１３２を係合する過程が順次示されている。最初、平板１３は、第２ヒンジ１３５により折り曲げられ、係合軸１３１および係合部１３２が係合手段１２２に入る直前の状態が示されている。
【００２３】
次に、係合軸１３１は、第２ヒンジ１３５により折り曲げられて、斜めの状態から垂直に入るようになる。さらに、前記湾曲板１２の第１水平部１２３と前記平板１３の第２水平部１３３は、第２ヒンジ１３５の部分で折り曲げられた際に、互いに重なるように成形されている。また、前記係合軸１３１および係合部１３２は、前記係合手段１２２の係合孔１２１に完全に嵌入された場合、第１水平部１２３と第２水平部１３３とが重なった状態となる。
【００２４】
図５は本発明の固定具を取付部材に取り付けた状態を説明するための図である。図５において、湾曲板１２と平板１３との間には、たとえば、管状の被固定物５１が抱持されている。また、前記固定具１１は、取付部材５２、５３の間に挟持されているとともに、前記取付部材５２、５３の孔５３１に前記係合手段１２２が固定される。また、前記固定具１１は、前記湾曲板１２の端部に突設された当接部１３６と、平板１４の端部に突設された当接部１３７と、前記係合手段１２２とによって前記取付部材５２、５３に固定されている。また、前記当接部１３５、１３６は、互いに違いとなるような位置に設けられている。
【００２５】
本発明の固定具１１は、湾曲した取付部材５２、５３の間の狭い空間に隙間のない状態で、被固定物５１を取り付けることができる。しかし、前記湾曲板１２は、被固定物５１を抱持する部分が湾曲にしているため、取り付ける際に、隙間を無くすように、平板１３の端部近傍が互いに水平となるような形状になっている。
【００２６】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の湾曲板、平板、係合手段、係合部は、図における位置関係を逆にすることができる。
【符号の説明】
【００２７】
１１・・・固定具
１２・・・湾曲板
１２１・・・係合孔
１２２・・・係合手段
１２３・・・第１水平部
１３・・・平板
１３１・・・係合軸
１３２・・・係合部
１３３・・・第２水平部
１３４・・・第１ヒンジ
１３５・・・第２ヒンジ
１３６・・・第１当接部
１３７・・・第２当接部
【図１】
2011202763.tif 000003
【図２】
2011202763.tif 000004
【図３】
2011202763.tif 000005
【図４】
2011202763.tif 000006
【図５】
2011202763.tif 000007
【図６】
2011202763.tif 000008